(57)【要約】【課題】払拭体の交換が簡単であり、頑丈且つコンパクトであり、且つ払拭体保持具の反転が起こらない清掃用具を提供する。【解決手段】本発明の払拭体保持具においては、把持部本体の幅方向を清掃方向とし、把持部本体の上部に設けられた回動軸部にハンドルを回動自在にし、把持部本体の下面に対向して樋状把持体とを配置し、樋状把持体の各々の基端部は、把持部本体の下面中央に、ヒンジにより連結され、閉鎖状態においては、把持部本体は樋状把持体に嵌合し、且つ樋状把持体はロック手段により把持部本体に固定され、開放状態においては、前記ロック手段が解除されて樋状把持体の各々がヒンジを介して回動可能となり、この開放状態において払拭体の左右に形成された袋部に樋状把持体の先端を挿通させ、樋状把持体を閉鎖状態にすることにより袋部を形成する袋布が把持部本体と樋状把持体により狭持された状態になり、且つ払拭体が樋状把持体を包被する。【選択図】図２
2014064605.tif 000002
【特許請求の範囲】
【請求項１】
把持部本体の幅方向を清掃方向とし、
前記把持部本体の上部に設けられた回動軸部にハンドルを回動自在にし、
前記把持部本体の下面に対向してその長手方向全長に亘ってスリット状開口部を上方に形成した一対の樋状把持体とを配置し、
前記一対の樋状把持体の各々の基端部は、前記把持部本体の下面中央に、ヒンジにより連結されて前記樋状把持体を開閉可能に形成し、
閉鎖状態においては、前記把持部本体は前記一対の樋状把持体のスリット状開口部に嵌合し、且つ前記一対の樋状把持体はロック手段により前記把持部本体に固定され、
開放状態においては、前記ロック手段が解除されて前記一対の樋状把持体の各々が前記ヒンジを介して回動可能となり、
この開放状態において前記一対の樋状把持体は自重により下方に垂下され、
払拭体の左右に形成された一対の袋部に前記一対の樋状把持体の先端を挿通させ、
前記一対の樋状把持体を閉鎖状態にすることにより前記袋部を形成する袋布が前記把持部本体と前記一対の樋状把持体により狭持された状態になり、且つ前記払拭体が前記一対の樋状把持体を包被することを特徴とする左右開閉型払拭体保持具。
【請求項２】
前記閉鎖状態において、前記樋状把持体の内周側に形成された内周湾曲面と、前記把持部本体の本体湾曲面が、対向して間隙を形成し、この間隙内において前記袋布が狭持される請求項１に記載の左右開閉型払拭体保持具。
【請求項３】
前記樋状把持体の外周側に、外側に向かって凸状となる外周湾曲面が形成された請求項１又は２に記載の左右開閉型払拭体保持具。
【請求項４】
前記一対の樋状把持体の各々の幅長が前記樋状把持体の先端側に進行するに従って短縮された把持体先細部が形成された請求項１、２又は３に記載の左右開閉型払拭体保持具。
【請求項５】
前記把持部本体が、上面板と、この上面板の下面側に突設され且つ長手方向に延伸された複数の長手リブから構成された請求項１〜４のいずれかに記載の左右開閉型払拭体保持具。
【請求項６】
前記上面板の下面側に突設され且つ前記長手リブと格子状に交差する複数の幅リブが形成された請求項５に記載の左右開閉型払拭体保持具。
【請求項７】
前記ロック手段が、前記把持部本体の上面に形成されたスライド孔の中に嵌め込まれ、長手方向にスライド可能とされた一対のスライドボタンと、前記一対のスライドボタンの各々に結合され、前記把持部本体に内蔵された一対の内蔵部材からなり、前記閉鎖状態においては、前記一対の内蔵部材の各々の先端部に形成された先端部が、前記一対の樋状把持体の各々に形成された突起と係合され、前記開放状態にさせる際に、前記スライドボタンを前記スライド孔内において移動させることにより、前記内蔵部材を前記先端部と共に長手方向に移動させ、前記先端部と前記突起との係合が解除される請求項１〜６のいずれかに記載の左右開閉型払拭体保持具。
【請求項８】
前記一対のスライドボタンが片手のみにより同時に操作可能である請求項７に記載の左右開閉型払拭体保持具。
【請求項９】
請求項１〜８のいずれかに記載の左右開閉型払拭体保持具に保持される払拭体であって、前記払拭体の両端に、前記一対の樋状把持体が挿通される一対の袋部が形成されたことを特徴とする払拭体。
【請求項１０】
前記一対の袋部の上面に、前記ロック手段の前記突起が前記袋布から突没自在にする為の開口部が形成された請求項９に記載の払拭体。
【請求項１１】
前記払拭体は、キャンバス部と、このキャンバス部の下面に多数のパイルが植設されたパイル部から構成され、前記キャンバス部の上面に前記袋布が形成された請求項９又は１０に記載の払拭体。
【請求項１２】
請求項１〜８のいずれかに記載の左右開閉型払拭体保持具と、請求項９〜１１のいずれかに記載の払拭体とから構成され、前記左右開閉型払拭体保持具に前記払拭体を保持して組み立てられることを特徴とする清掃用具。
【発明の詳細な説明】
【技術分野】
【０００１】
本発明は、床面や壁面を清掃するための払拭体及びそれに挿脱自在にした払拭体保持具からなる清掃用具に関し、更に詳細には、長手状に構成されることにより、隙間等の狭い空間の清掃を可能にする払拭体保持具及びそれに装着される払拭体からなる清掃用具に関する。
【背景技術】
【０００２】
袋状モップ等の払拭体を挿入して清掃用具を構成し、使用後に前記払拭体を脱離させる払拭体保持具としては、例えば特開２００５−２３７５８７号公報（特許文献１）に記載されたものがある。図１２は、特許文献１における払拭体保持具１０２を示す。払拭体保持具１０２は、保持片１３１及びそれに回動自在に連結された保持片１３２を含む払拭体把持具１２１を有する。払拭体１０１の被保持部（袋部）１１２Ａ、１１２Ｂには、保持片１３２が折り畳み状態に回動された状態で、保持片１３１及び保持片１３２が挿入される。保持片１３２が保持片１３１と平行になるように回動されることにより、払拭体１０１が払拭体把持具１２１に固定される。
【０００３】
この払拭体保持具並びにこれを有する清掃用具は、企業、病院、学校及び家庭などにおける清掃用途において、有用であることが立証され、利用者に好評を得ている。
【先行技術文献】
【特許文献】
【０００４】
【特許文献１】特開２００５−２３７５８７号公報
【発明の概要】
【発明が解決しようとする課題】
【０００５】
しかし、この２軸回動方式の払拭体保持具１０２は、下記の改善するべき点を有する。例として、払拭体保持具１０２のような従来の払拭体保持具は、細かい塵や毛髪を清掃することに向いているが、視認できる程度の大きさを有するゴミを除去することには向いていない。即ち、従来の払拭体保持具にの払拭体においては、パイルが柔らかく、この様なパイルは細かい塵や毛髪と絡んで付着し易い。しかし、大きなゴミに関しては、パイルが絡んでも直ぐに外れてしまい、従ってパイルに付着されず、除去され難い。柔らかいパイルを利用して大きなゴミを掃き取るには、払拭体保持具に圧力を掛けて、ゴミを押し出すように掃く必要がある。しかし、従来の面積が大きい払拭体保持具においては、ゴミを強制的に動かせる程の高い圧力を掛けにくく、ゴミを押しやることができないという弱点があった。
【０００６】
また、払拭体保持具１０２は、払拭体把持具１２１とハンドル１０４との接続において、直交する２軸（自在継手）を有する回動部１４１を有し、払拭体把持具１２１の長手方向及び幅方向（清掃方向）においてハンドル１０４が回動可能となっている。この幅方向への回動と、清掃時における払拭体１０１と床面との摩擦との相合効果により、払拭体把持具１２１が反転してしまう。図１３は、従来の払拭体保持具１０２における払拭体把持具１２１の反転を示す概念図である。従来の払拭体保持具１０２を有する清掃具を用いて前後に動かして清掃作業を行う際、ハンドルとの接続部である回動部１４１が幅方向回動軸１５４において略１８０°の回動を可能とさせるため、図１３の（１３Ｂ）に示すように、払拭体把持具１２１の幅方向に払拭体把持具１２１を移動させるとき、払拭体把持具１２１の下端部付近を中心にして回動し、図１３の（１３Ｃ）に示すように、払拭体把持具１２１の下面が裏向けに反転する問題が生じていた。払拭体把持具１２１の下面が裏向けに反転すると、払拭体把持具１２１を元の状態（図１３の（１３Ａ）参照）に手作業で戻す必要があり、その際、汚れた払拭体１０１に手指が触れて汚れが付着したりして、清掃作業を円滑に行う妨げになっていた。この反転は、ハンドル１０４の傾きが大きい程起こり易いので、ソファの下方などの狭い空間の清掃において、困難を生じていた。更に、従来の払拭体把持具１２１は幅広であり、狭い空間等の清掃に使用するためには、更に困難があった。
【０００７】
更に、図１２及び１３における払拭体保持具１０２のように、２つの保持片がハンドルの左右に一枚板状態で突出する構造の場合には、以下の改善すべき点がある。図１２においては、払拭体１０１の左右一対の袋部１１２Ａ、１１２Ｂに保持片１３１、１３２を挿通して、払拭体１０１を払拭体把持具に固定するが、払拭体１０１を幅方向に固定する機構が一切無く、従って清掃時において、払拭体１０１が保持片１３１、１３２を中心軸として幅方向（清掃方向）へ回動し易い。しかも、払拭体１０１の中央部を固定する手段が設けられていないから、払拭体１０１の中央部は払拭体把持具１０２から下方にＵ字状に垂れ易くなり、このＵ字状部分が清掃時に床面に引っ掛かると、前述した回動容易性によってこのＵ字状部分が捻じれ、部分的に裏表が逆転したりすることがある。
【０００８】
従って、本発明の目的は、小さな塵や毛髪の拭き取り及び大きなゴミの掃き取りの両方に使用でき、前述した払拭体把持具の反転を防止し、また払拭体把持具に払拭体の袋部を強く固定することにより、払拭体の回動及び乖離がほぼ完全に規制され、更に払拭体が清掃中に捻じれたりすることを防止できる払拭体保持具及びこれに装着する払拭体を提供し、且つこれらの払拭体保持具及び払拭体を利用した清掃用具を提供することである。
【課題を解決するための手段】
【０００９】
本発明は、上記課題を解決するために為されたものであり、本発明の第１の形態は、把持部本体の幅方向を清掃方向とし、前記把持部本体の上部に設けられた回動軸部にハンドルを長手方向に回動自在にし、前記把持部本体の下面に対向してその長手方向全長に亘ってスリット状開口部を上方に形成した一対の樋状把持体とを配置し、前記一対の樋状把持体の各々の基端部は、前記把持部本体の下面中央に、ヒンジにより連結されて前記樋状把持体を開閉可能に形成し、閉鎖状態においては、前記把持部本体は前記一対の樋状把持体のスリット状開口部に嵌合し、且つ前記一対の樋状把持体はロック手段により前記把持部本体に固定され、開放状態においては、前記ロック手段が解除されて前記一対の樋状把持体の各々が前記ヒンジを介して回動可能となり、この開放状態において前記一対の樋状把持体は自重により下方に垂下され、払拭体の左右に形成された一対の袋部に前記一対の樋状把持体の先端を挿通させ、前記一対の樋状把持体を閉鎖状態にすることにより前記袋部を形成する袋布が前記把持部本体と前記一対の樋状把持体により狭持された状態になり、且つ前記払拭体が前記一対の樋状把持体を包被する左右開閉型払拭体保持具である。
【００１０】
本発明の第２の形態は、前記閉鎖状態において、前記樋状把持体の内周側に形成された内周湾曲面と、前記把持部本体の本体湾曲面が、対向して間隙を形成し、この間隙内において前記袋布が狭持される左右開閉型払拭体保持具である。
【００１１】
本発明の第３の形態は、前記樋状把持体の外周側に、外側に向かって凸状となる外周湾曲面が形成された左右開閉型払拭体保持具である。
【００１２】
本発明の第４の形態は、前記一対の樋状把持体の各々の幅長が前記樋状把持体の先端側に進行するに従って短縮された把持体先細部が形成された左右開閉型払拭体保持具である。
【００１３】
本発明の第５の形態は、前記把持部本体が、上面板と、この上面板の下面側に突設され且つ長手方向に延伸された複数の長手リブから構成された左右開閉型払拭体保持具である。
【００１４】
本発明の第６の形態は、前記上面板の下面側に突設され且つ前記長手リブと格子状に交差する複数の幅リブが形成された左右開閉型払拭体保持具である。
【００１５】
本発明の第７の形態は、前記ロック手段が、前記把持部本体の上面に形成されたスライド孔の中に嵌め込まれ、長手方向にスライド可能とされた一対のスライドボタンと、前記一対のスライドボタンの各々に結合され、前記把持部本体に内蔵された一対の内蔵部材からなり、前記閉鎖状態においては、前記一対の内蔵部材の各々の先端部に形成された先端部が、前記一対の樋状把持体の各々に形成された突起と係合され、前記開放状態にさせる際に、前記スライドボタンを前記スライド孔内において移動させることにより、前記内蔵部材を前記先端部と共に長手方向に移動させ、前記先端部と前記突起との係合が解除される左右開閉型払拭体保持具である。
【００１６】
本発明の第８の形態は、前記一対のスライドボタンが片手のみにより同時に操作可能な左右開閉型払拭体保持具である。
【００１７】
本発明の第９の形態は、第１〜８の形態のいずれかの左右開閉型払拭体保持具に保持される払拭体であって、前記払拭体の両端に、前記一対の樋状把持体が挿通される一対の袋部が形成された払拭体である。
【００１８】
本発明の第１０の形態は、前記一対の袋部の上面に、前記ロック手段の前記突起が前記袋布から突没自在にする為の開口部が形成された払拭体である。
【００１９】
本発明の第１１の形態は、前記払拭体が、キャンバス部と、このキャンバス部の下面に多数のパイルが植設されたパイル部から構成され、前記キャンバス部の上面に前記袋布が生成された払拭体である。
【００２０】
本発明の第１２の形態は、第１〜８の形態のいずれかの左右開閉型払拭体保持具と、第９〜１１の形態のいずれかの払拭体とから構成され、前記左右開閉型払拭体保持具に前記払拭体を保持して組み立てられる清掃用具である。
【発明の効果】
【００２１】
本発明の第１の形態によれば、本発明の払拭体保持具において、把持部本体の幅方向を清掃方向とし、この把持部本体の上部に設けられた回動軸部にハンドルを長手方向に回動自在にするので、清掃時に反転が発生し難いにも係わらず、清掃方向への回動が容易な払拭体保持具を得ることができる。この反転の防止及びこの払拭体保持具の長手形状により、本発明の払拭体保持具による狭い空間の清掃が容易になる。また、この払拭体保持具の下面が狭いので、清掃時において、この下面へ圧力を掛けやすく、従ってこの払拭体保持具を使用して、細かい塵や毛髪の拭き取りに加えて、大きなゴミの掃き取りを行うことができ、清掃の効率化及び高速化に役立つ。更に、この把持部本体の下面に対向してその長手方向全長に亘ってスリット状開口部を上方に形成した一対の樋状把持体とを配置するので、これらの樋状把持体に払拭体を挿着すれば、前記把持部本体及び前記一対の樋状把持体により、この払拭体保持具の長手方向全長に亘ってこの払拭体を狭持することができ、この払拭体を強固に固定することができる。この強固な固定により、清掃時において、払拭体が樋状把持体を軸として回動し、また払拭体が樋状把持体から乖離することが防止される。
【００２２】
ここにおける把持部本体は長手状であるので、前記払拭体保持具も長手状であり、幅方向（清掃方向）に転がり可能であるが、長手方向には転がらない。又、前記一対の樋状把持体は、前記スリット状開口部を有し、このスリット状開口部の内周において内周湾曲面を有する。閉鎖状態においては、この内周湾曲面と、把持部本体の下面である本体湾曲面の間に、前記払拭体が強固に狭持される。この樋状把持体の先端には、払拭体の挿入を容易にするため、先細部が形成されていることが好ましい。
更に、外周湾曲面を有し、この外面湾曲面を転がり面として、本発明の払拭体保持具が前記清掃方向に回動可能となるので、ハンドルの回動軸部を自在継ぎ手にする必要が無い。本発明の把持部本体と、ハンドルとを連結する回動軸部は、長手方向のみに回動自在であり、従って自在継ぎ手ではない。幅方向（清掃方向）にハンドルが回動しないので、清掃時において、この払拭体保持具の反転が起こらない。それにもかかわらず、払拭体保持具自体が清掃方向に転がり可能であるので、この払拭体保持具の清掃方向における回動は制限されない。
【００２３】
本発明の材質としては、軽量であり且つ簡単に加工できるプラスチックが最も好ましいが、強度や美観を高める為に、金属や木材も使用可能である。又、これらの材質を同時に使用しても良い。例えば、把持部本体をプラスチックから構成し、樋状把持体を金属から構成しても良い。又、構造としては、強度を確保するために把持部本体を中実としても良いし、軽量性を確保する為に把持部本体を中空としても良い。或いは、隙間を入れて軽くし且つ強度を確保する為に、この把持部本体を複数のリブから形成しても良い。
本発明における、一対の樋状把持体を把持部本体に固定するロック手段の機構については、特に問わないが、払拭体などと干渉せずに固定可能であることが必要であり、また開放状態にするための操作が簡単であることが好ましい。使用可能な形態としては、例えば、このロック手段の操作部を、把持具本体の上面に配置して操作容易にし、更にこのロック手段の固定部を、把持部本体の下面の、樋状把持体に対面する部位に配置することが可能である。しかし、このロック手段が、例えばヒンジ軸の回動制限手段のみからなっても良い。
本発明のヒンジは、ヒンジ軸のみからなる、簡単な構造のもので良い。しかし、必要であれば、ラチェット式や凹凸かみ合わせ式などの回動制限手段が設けられても良い。
【００２４】
又、本発明の第１の形態によれば、樋状把持体が閉鎖される際に、前記袋部を形成する袋布が前記把持部本体と前記一対の樋状把持体により狭持された状態になり、且つ前記払拭体が前記一対の樋状把持体を包被するので、袋布が把持部本体の本体湾曲面により引っ張られ、これにより払拭体が樋状把持体に張られた状態で密着する。従って、清掃時において、払拭体のずれによる回動及び乖離が防止される。又、この払拭体がこれら一対の樋状把持体を包被することにより、払拭体のパイルが前記把持部本体の上面付近まで装着されるので、これらのパイルにより、ハンドルとの連結部である前記回動軸部が保護され、従って家具等との衝突によるこの回動軸部の破損を防止できる。本発明の払拭体は、２つの袋部を有し、且つ折曲可能なので、開放状態にあり且つ自重により垂下した前記一対の樋状把持体に挿通させ易くなる。本発明の払拭体は、布材であるキャンバス部を基材として、下面にパイルを植設しているが、前述した狭持状態において、本体湾曲面及び内周湾曲面と干渉を防止する為、上面をパイルが植設されない袋布とすることが好ましい。
【００２５】
本発明の第２の形態によれば、前記樋状把持体の内周側に形成された内周湾曲面と、前記把持部本体の本体湾曲面が、対向して間隙を形成し、この間隙内において前記袋布が狭持されるので、前記袋布が、前記内周湾曲面と前記本体湾曲面により強固に保持され、清掃時において前記払拭体のずれを防止できる。このずれの防止は、本発明の払拭体保持具に圧力を掛けて、大きなゴミの掃き取りを行う際に、特に重要となる。ここにおける間隙は、前記袋布のできるだけ広い範囲を狭持させる為に、間隔が一定であることが好ましい。又、この狭持を確実にするため、前記袋布には、パイルが植設されていないことが好ましい。
【００２６】
本発明の第３の形態によれば、前記樋状把持体の外周側に、外側に向かって凸状となる外周湾曲面が形成されたので、払拭体保持具が、この外周湾曲面を転がり面として、清掃方向に回動することができ、従って横転を引き起こす自在継ぎ手を使用せずに、払拭体保持具を清掃方向に回動可能とさせる。この外周湾曲面における、幅方向の断面曲線については、円形又は半円形が好ましいが、角や凹状曲面をを有さない曲面であれば、どの様なものでも使用できる。又、角が有っても、この角が９０°未満の鋭角で無ければ、使用できる。
【００２７】
本発明の第４の形態によれば、前記一対の樋状把持体の各々の幅長が前記樋状把持体の先端側に進行するに従って短縮された把持体先細部が形成されたのでこの把持体先細部を通じて、前記払拭体をより簡単に挿入できる。又、この把持体先細部により、払拭体保持具の両先端が先細状となるので、この払拭体保持具による狭い空間の清掃が更に容易になる。
【００２８】
本発明の第５の形態によれば、前記把持部本体が、上面板と、この上面板の下面側に突設され且つ長手方向に延伸された複数の長手リブから構成されたので、軽量且つ頑丈に前記把持部本体を形成することができる。これらの上面板及び複数の長手リブは、長手方向に延伸された板状の部材であり、これらを組み合わせることにより、隙間を有する中空構造を実現でき、この中空構造は、中実構造より軽く、且つ強度が中実構造と同程度となる。また、この中空構造を採用することにより、材質の使用量を節減でき、本発明の払拭体保持具の低価格化に繋がる。更に、この中空構造を採用することにより、比較的比重が高い金属などを材質として使用しても、軽量な把持部本体を得ることができる。前記長手リブの数は、生産容易性と軽量性を両立させる適当本数に調整でき、例えば２本〜１０本などに設定できる。尚、これらの複数の長手リブの下側が形成する包絡線を、前述した本体湾曲面としても良い。これらの長手リブ間の間隙は把持部本体の力学的強度が保持できる範囲内で調整でき、長手リブの本数にも依存するが、例えば５ｍｍ〜５０ｍｍの範囲で調整することが可能である。また長手リブの下側が形成する包絡面と内周湾曲面との密着性や接触面積などを調整することによって、前記袋布を前記内周湾曲面に十分に強く押圧させることができる。又、これらの複数の長手リブは、狭持する袋布の、特に幅方向へのずれを防止する効果があり、従って従来の払拭体保持具において発生する、清掃時における払拭体の幅方向への回動を防止する効果を示し、ゴミの掃き取り及び床面へ強く付着した汚れの拭き取りなど、払拭体保持具に下方へ圧力を掛ける必要がある用途において、特に利点を示す。
【００２９】
本発明の第６の形態によれば、前記上面板の下面側に突設され且つ前記長手リブと格子状に交差する複数の幅リブが形成されたので、前記把持部本体を更に軽量且つ頑丈に形成することがでる。また、前記複数の長手リブ及び上面板のみから構成された把持部本体は、充分な剛性を有するが、更に前記複数の幅リブを形成することにより、前記把持部本体が撓みへの耐性を有するようになる。又、これらの複数の幅リブは、狭持する袋布の長手方向へのずれを防止する効果があり、従って清掃時における払拭体の長手方向への乖離を防止する効果を示す。ここにおいても、特に、ゴミの掃き取り及び床面へ強く付着した汚れの拭き取りなど、払拭体保持具に下方へ圧力を掛ける必要がある用途において、利点を示す。
【００３０】
本発明の第７の形態によれば、前記閉鎖状態においては、前記一対の内蔵部材の各々の先端部に形成された先端部が、前記一対の樋状把持体の各々に形成された突起と係合されるので、前記一対の樋状把持体が、前記把持部本体に強固に固定されて、閉鎖状態が確実に保持される。又、前記開放状態にさせる際に、前記スライドボタンを前記スライド孔内において移動させることにより、前記内蔵部材を前記先端部と共に長手方向に移動させ、前記先端部と前記突起との係合が解除されるので、簡単且つ任意に前記一対の樋状把持体を開放状態にさせることができる。
スライドボタン（開閉操作部）は、操作性の点から、把持部本体の上面における中心部付近に配置されることが好ましい。その反面、先端部（係合部）は、樋状把持体の付近、即ち把持部本体の下面に配置される必要があり、また固定強度の確保の為に、把持部本体の先端付近に配置されることが好ましい。本形態における内蔵部材により、スライドボタン（開閉操作部）と、先端部（係合部）を離すことができ、従って、この開閉操作部及びこの係合部を、前述した最適な位置に設けることができる。又、本形態における突起は、前記先端部と係合する為に爪状の構造を有するが、これもまた樋状把持体の先端付近に形成されることが好ましい。
【００３１】
本発明の第８の形態によれば、前記一対のスライドボタンが片手のみにより同時に操作可能なので、開放状態にするための操作を簡単に行うことができる。この形態における一対のスライドボタンは、前記把持部本体の長手方向における中央付近に、近接して配置されるので、一方のスライドボタンに親指を掛け、他方のスライドボタンに人差し指及び／又は中指を掛けることにより、片手で両方のスライドボタンを操作できる。この形態においては、片手で両方のスライドボタンを摘みながら、この手によりこの把持部本体（及び払拭体保持具）を持ち上げることができるので、もう一方の手により払拭体の脱着を行うことができる。従って、払拭体の脱着作業を簡単且つ迅速に行うことができる。
【００３２】
本発明の第９の形態によれば、前記払拭体の両端に、前記一対の樋状把持体が挿通される一対の袋部が形成されたので、前記一対の樋状把持体に前記払拭体を簡単に挿入することができる。本形態の払拭体は、袋状の構造を有し、この払拭体の上面に挿入口が形成され、この挿入口により前記一対の袋部が分断される。この挿入口は、前記一対の袋部の共通袋口であり、この挿入口から前記一対の樋状把持体が前記一対の袋部に挿入される。従って、この挿入口において、この払拭体を折り曲げることにより、垂下した前記一対の樋状把持体を前記一対の袋部に挿入でき、この払拭体を簡単に装着できる。
【００３３】
本発明の第１０の形態によれば、前記一対の袋部の上面に、前記ロック手段の前記突起が前記袋布から突没自在にする為の開口部が形成されたので、前記払拭体と前記ロック手段の干渉を防ぐことができる。
【００３４】
本発明の第１１の形態によれば、前記払拭体が、キャンバス部と、このキャンバス部の下面に多数のパイルが植設されたパイル部から構成され、前記キャンバス部の上面に前記袋布が生成されたので、清掃に使用されるパイル部と、狭持に使用される袋布を分離することにより、清掃及び狭持の両方を効率的に行うことができる。
【００３５】
本発明の第１２の形態によれば、前記清掃用具が、前記左右開閉型払拭体保持具に前記払拭体を保持して組み立てられるので、強固に払拭体が保持され、反転が起こらず、圧力を掛けた場合においても前記払拭体保持具からの前記払拭体の乖離及び回動が起こらず、前記払拭体の装脱が容易であり、構造が頑丈であり、更にコンパクトであって狭い空間等の清掃も簡単に行え、細かい塵や液体の乾燥物などの拭き取りと、大きなゴミの掃き取りの両方を行える清掃用具を得ることができる。
【図面の簡単な説明】
【００３６】
【図１】本発明に係る開放状態にある払拭体保持具１に、折曲状態にある払拭体２２を装着する正面説明図である。
【図２】払拭体２２が払拭体保持具１に挿通された途中状態（２Ａ）及び払拭体保持具１が閉鎖された装着状態（２Ｂ）を示す正面図である。
【図３】把持部本体２及び樋状把持体３の部分分解斜視図である。
【図４】スライドボタン１０、１０の操作によりロック状態を解除し、樋状把持体３、３を開放状態にする過程を示す正面断面図である。
【図５】図４の（４Ａ）におけるヒンジ８の構造を示す払拭体保持具１のＡ−Ａ線断面図である。
【図６】払拭体２２の平面図（６Ａ）及び正面図（６Ｂ）である。
【図７】払拭体保持具１の平面図（７Ａ）及び底面図（７Ｂ）である。
【図８】開放状態にある払拭体保持具２２が挿通された途中状態（８Ａ）及び払拭体保持具１が閉鎖状態にされ、払拭体２２が狭持固定された装着状態（８Ｂ）を示す正面断面図である。
【図９】図８の（８Ａ）におけるＢ−Ｂ線断面図（９Ａ）、Ｃ−Ｃ線断面図（９Ｂ）、Ｄ−Ｄ線断面図（９Ｃ）及びＥ−Ｅ線断面図（９Ｄ）、並びに図８の（８Ｂ）におけるＦ−Ｆ線断面図（９Ｅ）及びＧ−Ｇ線断面図（９Ｆ）である。
【図１０】図２の（２Ｂ）における払拭体保持具１に、ハンドル１５を装着して形成された本発明の清掃用具５４の正面図（１０Ａ）及び側面図（１０Ｂ）である。
【図１１】図１０の清掃用具５４の使用を示す概念図である。
【図１２】従来の払拭体保持具１０２の側面図である。
【図１３】従来の払拭体保持具１０２における払拭体把持具１２１の反転を示す概念図である。
【発明を実施するための形態】
【００３７】
以下において、本発明に係る払拭体保持具、払拭体及び清掃用具の実施の形態を、添付する図面に従って詳細に説明する。
【００３８】
図１及び図２においては、本発明に係る払拭体保持具１の構造を示し、更にこの払拭体保持具１に払拭体２２を装着する過程も示す。図１は、本発明に係る開放状態にある払拭体保持具１に、折曲状態にある払拭体２２を装着する正面説明図である。払拭体保持具１は、把持部本体２と、一対の樋状把持体３、３から構成される。長手状の把持部本体２には、回動軸部１２が上部に設けられ、ハンドル１５を連結する連結部１２を長手方向に回動自在にする。この回動軸部１２は、自在継ぎ手では無く、長手方向のみに回動自在であり、幅方向（清掃方向）には回動しない。又、これらの樋状把持体３、３の各々の基端部は、把持部本体２の下面中央に、ヒンジ８により連結されて、樋状把持体３、３が開閉可能に形成される。樋状把持体３、３において、幅長が樋状把持体３、３の先端側に進行するに従って短縮された把持体先細部９、９が形成され、これにより払拭体２２の袋部２５、２５の挿入が容易になる。
把持部本体２には、スライドボタン１０、１０及び内蔵部材２０、２０（図１においては図示せず）からなるロック手段が設けられている。内蔵部材２０、２０には、先端部２１、２１（一部を先端部ガイド３８、３８に収納）が設けられ、後述する図２の（２Ｂ）に図示される閉鎖状態においては、樋状把持体３、３の突起３２、３２（図１においては図示せず）と係合する。図１に図示される開放状態においては、前記ロック手段が解除されて樋状把持体３、３がヒンジ８を介して回動可能となり、この開放状態において樋状把持体３、３は自重により下方に垂下され、払拭体２２が矢印ａの方向に挿入される。この挿入においては、払拭体２２の左右に形成された袋部２５、２５に樋状把持体３、３の先端（把持体先細部９、９）が挿通される。
【００３９】
払拭体２２には、樋状把持体３、３が挿通される袋部２５、２５が形成される。この払拭体２２は、布材であるキャンバス部２３を基材として、このキャンバス部の下面に多数のパイル２４が植設されたパイル部２９を有し、前記キャンバス部２３の上面には、パイルが植設されない袋布３１が形成される。
払拭体保持具１に払拭体２２が装着され、また連結部材１４にハンドル１５が取り付けられ、清掃用具５４として機能する。この清掃用具５４においては、把持部本体２の幅方向を清掃方向とする。
【００４０】
図２は、払拭体２２が払拭体保持具１に挿通された途中状態（２Ａ）及び払拭体保持具１が閉鎖された装着状態（２Ｂ）を示す正面図である。（２Ａ）の途中状態においては、樋状把持体３、３の挿入により、袋部２５、２５が膨張し、中間袋布２６及び先端袋布２７が外方へ突出している。尚、中間袋布２６と先端袋布２７との間に、袋布３１の隙間である開口部３０が形成され、ロック手段の先端部２１、２１及び樋状把持体３、３の突起３２、３２との干渉が防止される。払拭体２２の挿入後に、樋状把持体３、３が、矢印ｂ、ｂの方向に回動され、先端部２１、２１と突起３２、３２が係合して、樋状把持体３、３が（２Ｂ）の閉鎖状態となる。
図２の（２Ｂ）に図示される閉鎖状態においては、把持部本体２の下面に対向して樋状把持体３、３が配置される。この閉鎖状態においては、把持部本体２は樋状把持体３、３のスリット状開口部１１、１１に嵌合し、且つ樋状把持体３、３はロック手段により把持部本体２に固定される。（２Ｂ）に図示される払拭体２２の装着状態においては、袋部２５、２５を形成する袋布３１（中間袋布２６、２６及び先端袋布２７、２７）が把持部本体２と樋状把持体３、３により狭持された状態になり、且つ払拭体２２が樋状把持体３、３を包被する。この包被により、払拭体２２のパイル２４が把持部本体２の上面付近まで装着されるので、これらのパイル２４により、ハンドル１５との連結部である回動軸部１２及び回動軸支持部６、６が保護され、従ってこれらの部分の、家具等との衝突による破損を防止できる。
【００４１】
図３は、把持部本体２及び樋状把持体３の部分分解斜視図である。尚、図３においては、把持部本体２の半分及び一対の樋状把持体３、３の内１個のみが図示されている。把持部本体２の上面における中心付近には、スライド孔１６が設けられる。このスライド孔１６の中には、長手方向にスライド可能とされたスライドボタン１０が嵌め込まれ、このスライドボタン１０の操作移動により、先端部２１が長手方向に移動する。閉鎖状態においては、先端部２１が突起３２と係合するが、先端部３１の移動により、この係合が解除され、開放状態となる。
樋状把持体３においては、その長手方向全長に亘って、樋状のスリット状開口部１１が上方に形成され、このスリット状開口部の内周が、内周湾曲面４８を形成する。払拭体２２が装着された閉鎖状態においては、払拭体２２がこの内周湾曲面４８と払拭体本体２の下面（本体湾曲面４６）の間に狭持される。又、内周湾曲面内における、樋状把持体３の先端付近には、突起３２が設けられ、閉鎖状態において、ロック手段の先端部２１が係合してロック状態となる。
又、把持部本体２の下面中央付近には、本体ヒンジ孔３４が設けられ、樋状把持体３の下面基端部付近の両側には、把持体ヒンジ孔３６、３６が設けられている。これらのヒンジ孔３４及び３６に、ヒンジ軸４２が貫通され、ヒンジ８を形成する。
【００４２】
図４は、スライドボタン１０、１０の操作によりロック状態を解除し、樋状把持体３、３を開放状態にする過程を示す正面断面図である。尚、図４においては、連結部材１４は省略されている。（４Ａ）は閉鎖状態を示す。この断面図においては、スライドボタン１０、１０に結合され、把持部本体２に内蔵された内蔵部材２０、２０が図示され、先端部２１、２１が内蔵部材２０、２０に形成されている。これらの先端部２１、２１が、突起３２、３２に形成された係合爪と係合して、ロック状態を保持する。内蔵部材２０、２０にはバネ４０、４０が装備され、先端部２１、２１を係合位置に保持する。バネ４０、４０及び先端部２１、２１は、先端部ガイド３８、３８に収納される。これらの先端部ガイド３８、３８により、先端部２１、２１の横ぶれ及び縦ぶれが防止され、先端部２１、２１が突起３２、３２に確実に係合することになる。
（４Ｂ）は、スライドボタン１０、１０の操作による開放状態を示す。スライドボタン１０、１０が長手方向の内側（矢印ｃ、ｃ方向）にスライド操作されると、内蔵部材２０、２０も、バネ４０、４０の応力に対向して、長手方向の内側（矢印ｄ、ｄ方向）に移動される。これに従い、先端部２１、２１も、矢印ｄ、ｄ方向に移動され、この移動により突起３２、３２との係合が解除される。尚、スライドボタン１０、１０の両方は、把持部本体２の上面中央付近において、近接配置されるので、スライドボタン１０、１０の両方を同時に、片手で操作可能である。従って、樋状把持体３、３を簡単に開放でき、払拭体２２の脱着を容易に行うことができる。
（４Ｃ）は、樋状把持体３、３の垂下状態を示す。開放状態において、ロック機構による固定が解除されるので、樋状把持体３、３の、ヒンジ８、８を介する回動が束縛されなくなり、樋状把持体３、３が、自重により、矢印ｅ、ｅ（（４Ｂ）参照）の方向に垂下する。この垂下状態において、払拭体２２が装着可能となる。
【００４３】
図５は、図４の（４Ａ）におけるヒンジ８の構造を示す払拭体保持具１のＡ−Ａ線断面図である。尚、図５においては、回動軸支持部６の上端は省略されている。ヒンジ軸４２が、本体ヒンジ孔３４及び把持体ヒンジ孔３６、３６を貫通し、このヒンジ軸４２を軸として、樋状把持体３が回動可能となる。尚、図５においては、ヒンジ８には回動制限手段は設けられず、ヒンジ８を介する樋状把持体３、３の回動は制限されない。しかし、必要であれば、ラチェット式や凹凸嵌合式などの回動制限手段を、ヒンジ８に設けることも可能である。
【００４４】
図６は、払拭体２２の平面図（６Ａ）及び正面図（６Ｂ）である。払拭体２２は、布材であるキャンバス部２３を基材とし、下面においては、パイル２４が多数植設されたパイル部２９が形成されている。このパイル部２９において、清掃の為の払拭が行われる。
払拭体２２の上面においては、パイル２４が植設されていないキャンバス部２３である袋布３１、３１が形成され、袋部２５の上面を構成する。パイル２４が植設されないので、パイル２４の干渉無しに、袋布３１、３１が把持部本体２と樋状把持体３、３の間において狭持可能となる。袋布３１、３１は、払拭体２２の上面の先端に形成された先端袋布２７、２７と、これらの先端袋布２７、２７より中央側に形成された中間袋布２６、２６に分断され、袋部２５、２５の各々における中間袋布２６と先端袋布２７の間には、開口部３０が形成される。ここにおける一対の開口部３０、３０からは、袋部２５、２５が樋状把持体３、３に装着される際に突起３２、３２が突没自在となる。
又、払拭体２２の上面中央における、一対の袋部２５、２５の間には、挿入部２８が形成され、樋状把持体３、３が、挿入部２８から袋部２５、２５に挿入される。
【００４５】
図７は、払拭体保持具１の平面図（７Ａ）及び底面図（７Ｂ）である。（７Ａ）には把持部本体２の上面を構成する上面板４１が図示され、この把持部本体２の上面中央部付近にスライド孔１６、１６及びスライド孔１６、１６内に挿入されたスライドボタン１０、１０が図示される。又、（７Ｂ）には、樋状把持体３、３が示される。
（７Ｃ）は、樋状把持体３、３が省略された把持部本体２の底面図であり、上面板の下面側に突設され、把持部本体２を構成する複数の長手方向に延伸された長手リブ４３（（７Ｃ）においては８個）が図示される。最も中心軸に近い２個の長手リブ４３の間は、中心溝４４となっていて、この中心溝４４の中に、ロック手段の内蔵部材２０、２０が内蔵される。又、上面板の下面側に突設され且つ前記長手リブと格子状に交差する複数の幅リブ４５も図示される。これらの幅リブ４５は、把持部本体２の剛性のみならず、撓みへの耐性を向上させる。把持部本体２の下面における、先端部２１、２１付近においては、先端部ガイド３８、３８が配置される。これらの先端部ガイド３８、３８には、先端部２１、２１及びバネ４０、４０が内蔵され、先端部２１、２１が部分的に突出する。これらの先端部ガイド３８、３８により、先端部２１、２１の横ぶれ及び縦ぶれが防止され、先端部２１、２１が突起３２、３２に確実に係合することになる。
【００４６】
図８は、開放状態にある払拭体保持具２２が挿通された途中状態（８Ａ）及び払拭体保持具１が閉鎖状態にされ、払拭体２２が狭持固定された装着状態（８Ｂ）を示す正面断面図である。（８Ａ）における途中状態は、図２の（２Ａ）における途中状態に相当する。払拭体２２の袋部２５、２５が樋状把持体３、３に挿入される際に、袋部２５、２５が膨張する。袋部２５、２５の各々に、中間袋布２６と先端袋布２７とのギャップである開口部３０が形成されるが、（８Ａ）においては、開口部３０、３０が、樋状把持体３、３における突起３２、３２の直上に配置されていることが示されている。樋状把持体３、３が、矢印ｆ、ｆの方向に回動されると、樋状把持体３、３の突起３２、３２が、先端部２１、２１に接触する。先端部２１、２１には、斜面が形成され、突起３２、３２が下方からこれらの斜面に押し込まれることにより、先端部２１、２１が、バネ４０、４０の応力に対抗して、長手方向の内側に押し込まれる。突起３２、３２の係止爪の下端が、先端部２１、２１の上端よりも上方へ押し込まれた時点で、先端部２１、２１が、バネ４０、４０の応力により、長手方向の外側へ移動する。これにより、先端部２１、２１が突起３２、３２と係合して、樋状把持体３、３が閉鎖状態になる。
（８Ｂ）の装着状態は、図２の（２Ｂ）に相当する。中間袋布２６、２６及び先端袋布２７、２７が、把持部本体２と樋状把持体３、３との間に形成された間隙内に狭持される。（８Ａ）について既に説明した通り、開口部３０、３０から突起３２、３２が突出し、先端部２１、２１と係合して、樋状把持体３、３が閉鎖状態となる。
【００４７】
図９は、図８の（８Ａ）におけるＢ−Ｂ線断面図（９Ａ）、Ｃ−Ｃ線断面図（９Ｂ）、Ｄ−Ｄ線断面図（９Ｃ）及びＥ−Ｅ線断面図（９Ｄ）、並びに図８の（８Ｂ）におけるＦ−Ｆ線断面図（９Ｅ）及びＧ−Ｇ線断面図（９Ｆ）である。（９Ａ）は把持部本体２のみの断面図であり、上面板４１及びこの上面板４１の下面側に突設され且つ長手方向に延伸された複数の長手リブ４３（図９においては８個）が示されている。これらの長手リブ４３の下端における包絡線（破線により図示）が、本体湾曲面４６を形成する。後述する通り、この本体湾曲面４６と、樋状把持体３の内周湾曲面４８との間に、払拭体２２の袋布３１が狭持される。又、図９の（９Ａ）〜（９Ｆ）における長手リブ４３の内、把持部本体２の中心軸に最も近い２個の長手リブ４３間の間隙が中心溝４４となり、この中心溝４４の中の中に内蔵部材２０が内蔵される。更に、上面板４１の中心においては、溝状のスライド孔１６が形成されていて、このスライド孔１６の中にスライドボタン１０が嵌め込まれている。
（９Ｂ）は、（９Ａ）と同様に、把持部本体２のみの断面図であるが、ロック手段の係止部付近が図示される。（９Ｂ）においては、複数の長手リブ４３が、樋状把持体３の突起３２と衝突しないよう、縦方向に短縮されている。
【００４８】
（９Ｃ）は、樋状把持体３及びこれに挿入された払拭体２２の袋部２５の断面図である。樋状把持体３の、スリット状開口部１１を形成する内周が、内周湾曲面４８となる。又、樋状把持体３の外周が、外側に向かって凸状となる外周湾曲面５０を形成する。使用時においては、払拭体２２はこの外周湾曲面５０に密着し、従って外周湾曲面５０の形状を取る。但し、（９Ｃ）においては、払拭体２２の袋布２５が、把持部本体２により引き込まれていないので、払拭体２２が弛んでいて、外周湾曲面５０には密着していない。払拭体２２の袋部２５においては、下方のキャンバス部２３にパイル２４が植設されてパイル部２９を形成し、また上方の、パイル２４が植設されていないキャンバス部２３が、袋布３１（中間袋布２６）を形成する。袋部２５に樋状把持体３が挿入されているが、前述した通り、この時点においては、袋部２５は樋状把持体３と密着せず、弛んだ状態となっている。
（９Ｄ）は、（９Ｃ）と同様に、樋状把持体３及びこれに挿入された払拭体２２の袋部２５の断面図であるが、突起３２付近が図示される。この部位における払拭体２２においては、中間袋布２６と先端袋布２７とのギャップである開口部３０が上方に開いている。従って、突起３２が、この開口部３０から突没自在となる。
【００４９】
（９Ｅ）は、払拭体２２が挿入された樋状把持体３及びこれに嵌合した把持部本体２の断面図である。把持部本体２の本体湾曲面４６と、樋状把持体３の内周湾曲面４８との間に形成された間隙５２に、払拭体２２の袋布３１（中間袋布２６）が狭着される。袋布３１が引っ張られることにより、パイル２４が植設されたキャンバス部２３も引っ張られて、樋状把持体３の外周湾曲面５０に密着する。この配置により、払拭体２２が樋状把持体３を密着包被し、この払拭体２２が払拭体保持具１に強固に狭持される。又、払拭体２２のキャンバス部２３は、樋状把持体３の外周湾曲面５０に密着するので、この外周湾曲面５０の形状を有するようになる。この外周湾曲面５０は、鋭角や凹曲面など、払拭体保持具１の転がりを阻害する要因を有さないので、清掃時において、払拭体保持具１の清掃方向への回動を可能にする。
（９Ｆ）は、（９Ｅ）と同様に、払拭体２２が挿入された樋状把持体３及びこれに嵌合した把持部本体２の断面図であるが、突起３２付近が図示される。（９Ｆ）においては、突起３２の係合爪の下面に、ロック手段の先端部２１が係合され、樋状把持体３を閉鎖状態にする。この部位においては、把持部本体２の複数の長手リブ４３が、縦方向に短縮され、樋状把持体３の突起３２と衝突しないように構成されている。又、払拭体２２の上面において、開口部３０が形成され、袋布３１が存在しない。従って、（９Ｆ）においては、払拭体２２は、把持部本体２と樋状把持体３との間に狭持されない。しかし、（９Ｅ）に図示される通り、払拭体保持具１の別の部位において払拭体２２が狭持されるので、払拭体２２は強固に固定される。
【００５０】
図１０は、図２の（２Ｂ）における払拭体保持具１に、ハンドル１５を装着して形成された本発明の清掃用具５４の正面図（１０Ａ）及び側面図（１０Ｂ）である。ハンドル１５は、回動軸支持体６、６に回動軸部１２を介して回動可能に接続された連結部１４に挿入され、ハンドル１５が払拭体保持具１に、長手方向に回動可能に連結される。
図１１は、図１０の清掃用具５４の使用を示す概念図である。図１１の（１１Ａ）に図示されるとおり、ハンドル１５を手で保持し、床面に払拭体２２を接触させて、ハンドル１５を傾けて前後に押すことにより、払拭体把持具１の幅方向（清掃方向）へ払拭体２２を前後させて、清掃をおこなう。図１０及び１１における回動軸部１２は、払拭体保持具１の長手方向のみに回動可能であり、幅方向へは回動できない。従って、従来の清掃用具における、図１３に図示されたような反転が起こらない。しかし、樋状把持体３の外周湾曲面５０により払拭体２２も湾曲状になるので、これらの湾曲面を支点としてハンドル１５を自在に傾斜させることが可能である。例えば、（１１Ａ）におけるハンドル１５を矢印ｇの方向へ傾けて、ハンドル１５の傾斜を大きくした状態（図１１の（１１Ｂ）に図示）において清掃を行うことができる。また、（１１Ｂ）の傾斜状態においても、払拭体２２が床面に接触するので、狭い空間等の清掃に役立つ。しかも、払拭体２２が把持部本体２と樋状把持体３により強固に狭持されるので、払拭体に圧力が掛かる用途においても払拭体２２の乖離及び回動が防止され、清掃用具を拭き取り及び掃き取りの両方の用途に使用することができる。更に、払拭体２２のパイル２４が把持部本体２の上面付近まで装着されるので、回動軸支持部６、６及び回動軸部１２がこれらのパイルにより保護され、衝突等による破損が防止される。
【産業上の利用可能性】
【００５１】
本発明に係る左右開閉型払拭体保持具、払拭体及びこれらにより構成される清掃用具を用いることにより、払拭体の交換が簡単であり、頑丈且つコンパクトであり、拭き取りと掃き取りの両方の用途に使用でき、且つ払拭体把持具の反転が起こらない清掃用具を提供できる。本発明における払拭体保持具は構造が簡単なので、安価且つ大量に生産できる。従って、企業、病院、学校及び家庭などにおける清掃用途において、更に有用な清掃用具を市場に広めることができる。
【符号の説明】
【００５２】
１    払拭体保持具
２    把持部本体
３    樋状把持体
６    回動軸支持部
８    ヒンジ
９    把持体先細部
１０    スライドボタン
１１    スリット状開口部
１２    回動軸部
１４    連結部
１５    ハンドル
１６    スライド孔
２０    内蔵部材
２１    先端部
２２    払拭体
２３    キャンバス部
２４    パイル
２５    袋部
２６    中間袋布
２７    先端袋布
２８    挿入部
２９    パイル部
３０    開口部
３１    袋布
３２    突起
３４    本体ヒンジ孔
３６    把持体ヒンジ孔
３８    先端部ガイド
４０    バネ
４１    上面板
４２    ヒンジ軸
４３    長手リブ
４４    中心溝
４５    幅リブ
４６    本体湾曲面
４８    内周湾曲面
５０    外周湾曲面
５２    間隙
５４    清掃用具
１０１    払拭体
１０２    払拭体保持具
１０４    ハンドル
１１２Ａ  袋部
１１２Ｂ  袋部
１２１    払拭体把持具
１３１    保持片
１３２    保持片
１４１    回動部
１５４    幅方向回動軸
【図１】
2014064605.tif 000003
【図２】
2014064605.tif 000004
【図３】
2014064605.tif 000005
【図４】
2014064605.tif 000006
【図５】
2014064605.tif 000007
【図６】
2014064605.tif 000008
【図７】
2014064605.tif 000009
【図８】
2014064605.tif 000010
【図９】
2014064605.tif 000011
【図１０】
2014064605.tif 000012
【図１１】
2014064605.tif 000013
【図１２】
2014064605.tif 000014
【図１３】
2014064605.tif 000015